(57)【要約】【課題】六面体であるにもかかわらず写真を正面にしか飾り入れることができないため、各側面にも入れ替えできるお洒落なフォトスタンドが要望されている。【解決手段】内装ケース１に被装される外装ケース２と、該外装ケース２と内装ケース１との間に写真、絵、模様、図柄等の紙葉を保持するためのディスプレイスペースＳとを備える。内装ケース１は、上端のみが開放された正六面体に形成され、外装ケース２は、上下両端が開放された透明な正六面体に形成されており、内装ケース１の外周を被装すべく遊嵌せしめる。底部カバー３は、外装ケース２の底部開口縁に設けられたテーパー面２ｂと整合するテーパー段差部３ａと、内装ケース１の磁石１ｂ，１ｂ…と整合する位置に設けられた磁石３ｂ、３ｂ…と、同カバーの底面四隅に設けられた重合スタッド３ｃ，３ｃ…と、手の指を差し入れることができる大きさに形成された円孔３ｄとを備える。【選択図】  図３
0003145469.tif 000002
【実用新案登録請求の範囲】
【請求項１】
所定大きさの内装ケースと、該内装ケースに被装される外装ケースと、該外装ケースと前記内装ケースとの間に写真、絵、模様、図柄等の紙葉を保持するためのディスプレイスペースとを備えたことを特徴とするフォトスタンド。
【請求項２】
前記内装ケースは、上端開口縁に周設されて外装ケースの上端開口縁に整合するテーパーフランジと、同内装ケースの底面に着脱自在に取り付けされて外装ケースの底面に抜け止めされる底面カバーとを備えたことを特徴とする請求項１に記載のフォトスタンド。
【請求項３】
前記底面カバーは、外装ケースの底面開口縁に設けられたテーパー面と整合するテーパー段差部と、内装ケースの底面に設けられた磁石若しくは金属と着脱自在に磁着する金属若しくは磁石等の磁性体とを備えたことを特徴とする請求項２に記載のフォトスタンド。
【請求項４】
前記外装ケースは、上下両端が開放された透明若しくは半透明の正六面体に形成されると共に、上端のみが開放された正六面体の内装ケースに遊嵌された状態で同内装ケースのテーパーフランジと底面カバーとの間に抜け止め保持されることを特徴とする請求項１，２又は３に記載のフォトスタンド。
【考案の詳細な説明】
【技術分野】
【０００１】
本考案は、主として卓上で使用されるフォトスタンドの改良に関し、更に詳しくは、二重ケースの絡繰りを有する意外性のあるフォトスタンドに関し、延いては、正六面体の各側面を有効利用すべく四枚の紙葉を飾り付けることができるのみならず、方向を変えるだけで異なる写真や絵、図柄等を提供できるなど、気分や季節等に応じて雰囲気を変えることができるインテリアとしても商品価値の高いお洒落なキューブ型のフォトスタンドに関する。
【背景技術】
【０００２】
従来、斯かるフォトスタンドとしては、例えば、六面体の中空状の箱体と、その箱体の少なくとも一面に開設した窓部と、前記箱体内に、前記窓部を開設した面及びその面と対向する面以外の面の対角線上に配設して箱体内を２個の空間に仕切る前記窓部と対向する反射面を有する仕切板と、前記仕切板の略中央に保持され、前記窓部に対向して写真等のシート状物を保持するホルダーとを備えたフォトスタンドがある（特許文献１参照）。
【特許文献１】実開平０６−９９７５号公報
【考案の開示】
【考案が解決しようとする課題】
【０００３】
しかしながら、上述した従来のフォトスタンドにあっては、写真等を箱の中に浮かんでいるかの如く保持させることができるといった利点を有するものの、正面にしか写真を飾り入れることができないといった問題があり、六面体を活かすべく複数の写真を各側面にも簡単に入れ替えすることができるなど、インテリアとしても商品価値の高いお洒落なフォトスタンドが要望されている。
【０００４】
本考案はこのような従来の問題点及び要望に鑑みてなされたもので、恰も透明なケース中に写真、絵、模様、図柄等の紙葉が埋め込まれているかの如く観取できるなどフォトスタンドとしての意外性があり、延いては、正六面体の各側面を有効利用すべく四枚の紙葉を飾り付けることができるのみならず、方向を変えるだけで異なる写真や絵を提供できるため、気分や季節等に応じて雰囲気を変えることができるインテリアとしても商品価値の高いお洒落なキューブ型のフォトスタンドを提供することを目的としたものである。
【課題を解決するための手段】
【０００５】
上述の如き従来の問題点を解決し、所期の目的を達成するため本考案の要旨とする構成は、所定大きさの内装ケースと、該内装ケースに被装される外装ケースと、該外装ケースと前記内装ケースとの間に写真、絵、模様、図柄等の紙葉を保持するためのディスプレイスペースとを備えてなるフォトスタンドに存する。
【０００６】
また、前記内装ケースは、上端開口縁に周設されて外装ケースの上端開口縁と整合されるテーパーフランジと、同内装ケースの底面に着脱自在に取り付けされて外装ケースの底面に抜け止めされる底面カバーとを備えるのが良い。
【０００７】
更に、前記底面カバーは、外装ケースの底面開口縁に設けられた環状テーパー面と整合するテーパー段差部と、内装ケースの底面に設けられた磁石若しくは金属と着脱自在に磁着する金属若しくは磁石等の磁性体とを備えるのが良い。
【０００８】
また、前記外装ケースは、上下両端が開放された透明若しくは半透明の正六面体に形成されると共に、上端のみが開放された正六面体の内装ケースに遊嵌された状態で同内装ケースのテーパーフランジと底面カバーとの間に抜け止め保持されるのが良い。
【考案の効果】
【０００９】
本考案は上述のように構成され、所定大きさの内装ケースと、該内装ケースに被装される外装ケースと、該外装ケースと前記内装ケースとの間に写真、絵、模様、図柄等の紙葉を保持するためのディスプレイスペースとを備えたことによって、少なくとも内装ケースの側面数に応じて写真、絵、模様、図柄等の紙葉を両ケース間に飾り付けることができるといった効果を奏する。
【００１０】
また、前記内装ケースは、上端開口縁に周設されて外装ケースの上端開口縁と整合されるテーパーフランジと、同内装ケースの底面に着脱自在に取り付けされて外装ケースの底面に抜け止めされる底面カバーとを備えたことによって、内装ケースのテーパーフランジと底面カバーとの間に外装ケースを抜け止め保持することができるといった効果を奏する。
【００１１】
更に、前記底面カバーは、外装ケースの底面開口縁に設けられた環状テーパー面と整合するテーパー段差部と、内装ケースの底面に設けられた磁石若しくは金属と着脱自在に磁着する金属若しくは磁石等の磁性体とを備えたことによって、ワンタッチで内装ケースと底面カバーとを一体的に磁着することができるため、外装ケースと内装ケースとの抜け止め保持が簡単にできると共に、前記磁石の磁性力に抗して力を加えるだけで両者を簡単に遊離させることができるため、写真、絵、模様、図柄等の紙葉の差し替えが誰にでも簡単に行なえるといった効果を奏する。
【００１２】
また、前記外装ケースは、上下両端が開放された透明若しくは半透明の正六面体に形成されると共に、上端のみが開放された正六面体の内装ケースに遊嵌された状態で同内装ケースのテーパーフランジと底面カバーとの間に抜け止め保持されることによって、外観からは正六面体の本体が二重になっているとは判別できないため、恰も透明な外装ケース中に写真、絵、模様、図柄等の紙葉が埋め込まれているかの如く観取できるなど、フォトスタンドとしての意外性があり、また、正六面体の各側面を有効利用すべく四枚の紙葉を飾り付けることができるのみならず、方向を変えるだけで異なる写真や絵を提供できるため、気分や季節等に応じて雰囲気を変えることができるインテリアとしても商品価値の高い洒落なキューブ型のフォトスタンドを提供することができる。
【００１３】
しかも、本考案のフォトスタンドは、構成が単純であるため大量生産に適し、価格も低廉なものとして需要者に供給できる等、本考案を実施することはその実益的価値が甚だ大である。
【考案を実施するための最良の形態】
【００１４】
所定大きさの内装ケースと、該内装ケースに被装される外装ケースと、該外装ケースと前記内装ケースとの間に写真、絵、模様、図柄等の紙葉を保持するためのディスプレイスペースとを備え、前記内装ケースは、上端開口縁に周設されて外装ケースの上端開口縁と整合されるテーパーフランジと、同内装ケースの底面に着脱自在に取り付けされて外装ケースの底面に抜け止めされる底面カバーとを備えるのが良い。
【実施例】
【００１５】
次に、本考案の実施の一例を図面を参照しながら説明する。図中Ａは、本考案に係るキューブ型のフォトスタンドであり、このフォトスタンドＡは、図１に示すように、所定大きさの内装ケース１と、該内装ケース１に被装される外装ケース２と、該外装ケース２と前記内装ケース１との間に写真、絵、模様、図柄等の紙葉を保持するためのディスプレイスペースＳ(図３参照)とを備えている。
【００１６】
内装ケース１は、上端のみが開放された正六面体に形成されており、上端開口縁から外方に突出したテーパーフランジ１ａが周設されている。このテーパーフランジ１ａは、後述する外装ケース２の上端開口縁に形成されたテーパー面２ａ及び上端縁と面一に整合されるものであり、底面の四隅に磁石１ｂ、１ｂ…が設けられている。
【００１７】
外装ケース２は、上下両端が開放された透明な正六面体に形成されており、内装ケース１の外周を被装すべく遊嵌されるものであり、底部開口縁にテーパー面２ｂを介して底部カバー３が着脱自在に抜け止め嵌合されている。
【００１８】
底部カバー３は、図２若しくは図３に示すように、外装ケース２の底部開口縁に設けられたテーパー面２ｂと整合するテーパー段差部３ａと、内装ケース１の磁石１ｂ，１ｂ…と整合する位置に設けられた磁石３ｂ、３ｂ…と、同カバーの底面四隅に設けられた重合スタッド３ｃ，３ｃ…(図２参照)と、手の指を差し入れることができる大きさに形成された円孔３ｄとを備えている。
【００１９】
因に、上述した内装ケース１のテーパーフランジ１ａと外装ケースのテーパー面２ａ、２ｂ及び底部カバー３のテーパー段差部３ａとが共同して、両ケース１、２間にディスプレイスペースＳを形成せしめ、また、前記磁石１ｂ、３ｂの磁性力が協働することも相俟って、両ケース１，２間を水密に重合することができるため(図３参照)、同スペースＳ内に飾り付けた写真等の紙葉(図示せず)が安易に水で濡れたり、汚れたり或いは欠損等を阻止できるため、大事な写真でも安心して入れ置くことができることは云うまでもない。
【００２０】
このように構成される本考案のフォトスタンドＡは、図３に示すように、底部カバー３の円孔３ｄから指を突き入れるだけで、前記磁石１ｂ、３ｄの磁力に抗して底部カバー３と内装ケース１とを簡単に遊離することができると共に、内装ケース１がフリーとなって外装ケース２から取り外せるため、写真、絵、模様、図柄等の紙葉を簡単に入れ替えできると共に、内装ケース１の各側面(４面)の全てに写真等をディスプレイすることができる。
【００２１】
しかも、外観からは、恰も透明な外装ケース２中に写真、絵、模様、図柄等の紙葉が埋め込まれているかの如く観取できるため、フォトスタンドとして意外性があり、また、正六面体の各側面を有効利用すべく四枚の紙葉を飾り付けることができるのみならず、方向を変えるだけで異なる写真や絵を提供できるため、その時の気分や季節等に応じて雰囲気を変えることができるインテリアとしても商品価値の高いお洒落なキューブ型のフォトスタンドを提供することができる。
【００２２】
更に、フォトスタンドＡの底面には、四隅にスタッド３ｃ、３ｃ…が突設されているため、例えば、同形同大のキューブ型の時計、ペン立て、メモホルダー、テープホルダー、ライト、灰皿等と自由に重ね合わせたり、また、縦横に組み合わせることができるなど、インテリアとしての更なる趣向性も付加させることができるのである。因に、図中４は内装ケース１内を四つに区画する仕切部材であり、内装ケース１内をペン立て等として使用できる。
【００２３】
尚、本考案のフォトスタンドは、本実施例に限定されることなく、本考案の目的の範囲内で自由に設計変更し得るものであり、本考案はそれらの全てを包摂するものである。
【図面の簡単な説明】
【００２４】
【図１】本考案に係るフォトスタンドを示す斜視図である。
【図２】同フォトスタンドの底部を示す説明図である。
【図３】同フォトスタンドの縦断面図である。
【図４】同フォトスタンドの組立分解斜視図である。
【符号の説明】
【００２５】
１  内装ケース
１ａ  テーパーフランジ
１ｂ  磁石
２  外装ケース
２ａ  テーパー面
２ｂ  テーパー面
３  底部カバー
３ａ  テーパー段差部
３ｂ  磁石
３ｃ  スタッド
３ｄ  円孔
４  仕切部材  
【図１】
0003145469.tif 000003
【図２】
0003145469.tif 000004
【図３】
0003145469.tif 000005
【図４】
0003145469.tif 000006